(57)【要約】【課題】カメラの厚み方向が薄く、広画角、明るいＦナンバーを有するズームレンズ。【解決手段】物体側より順に、負の第１レンズ群、正の第２レンズ群、負の第３レンズ群、及び正の第４レンズ群を有し、変倍に際し各レンズ群の間隔を変えることにより変倍を行うズームレンズにおいて、第１レンズ群は、物体側より順に、負の１ａレンズ、反射光学素子、及び負の１ｂレンズから少なくとも構成されると共に１ａレンズの像側面と１ｂレンズの物体側面は何れも負の屈折力を有し、第２レンズ群は、物体側より順に、正の２ａレンズ、負の２ｂレンズ、及び正の２ｃレンズから構成されると共に２ｂレンズと２ｃレンズは接合され、第３レンズ群は１枚の負レンズから構成され、以下の条件式を満足すること。  ０．４＜ｆＢＷ／ｆＷ＜１．０  １．０＜｛（１−ｎ１ａ）／ｒ１ａ｝／｛（ｎ１ｂ−１）／ｒ１ｂ｝＜４．０【選択図】図３
2011069962.tif 000002
【特許請求の範囲】
【請求項１】
物体側より順に、負の屈折力を有する第１レンズ群、正の屈折力を有する第２レンズ群、負の屈折力を有する第３レンズ群、及び正の屈折力を有する第４レンズ群を有し、変倍に際し各レンズ群の間隔を変えることにより変倍を行うズームレンズにおいて、
前記第１レンズ群は、物体側より順に、負の１ａレンズ、光線を反射させることで光路を折り曲げる作用を持つ反射光学素子、及び負の１ｂレンズから少なくとも構成されると共に、前記１ａレンズの像側面と前記１ｂレンズの物体側面は何れも負の屈折力を有し、
前記第２レンズ群は、物体側より順に、正の２ａレンズ、負の２ｂレンズ、及び正の２ｃレンズから構成されると共に、前記２ｂレンズと２ｃレンズは接合され、
前記第３レンズ群は１枚の負レンズから構成され、
以下の条件式を満足することを特徴とするズームレンズ。
０．４＜ｆＢＷ／ｆＷ＜１．０
１．０＜｛（１−ｎ１ａ）／ｒ１ａ｝／｛（ｎ１ｂ−１）／ｒ１ｂ｝＜４．０
但し、
ｆＢＷ：広角端におけるバックフォーカス（空気換算長）
ｆＷ：広角端における全系の焦点距離
ｎ１ａ：前記１ａレンズのｄ線における屈折率
ｎ１ｂ：前記１ｂレンズのｄ線における屈折率
ｒ１ａ：前記１ａレンズの像側面の曲率半径
ｒ１ｂ：前記１ｂレンズの物体側面の曲率半径
【請求項２】
以下の条件式を満足することを特徴とする請求項１に記載のズームレンズ。
１．０＜｜ｆ１／ｆＷ｜＜２．０
但し、
ｆ１：前記第１レンズ群の焦点距離
ｆＷ：広角端における全系の焦点距離
【請求項３】
前記１ａレンズは以下の条件式を満足することを特徴とする請求項１又は請求項２に記載のズームレンズ。
１．０＜｜ｆ１ａ／ｆＷ｜＜３．０
但し、
ｆ１ａ：前記１ａレンズの焦点距離
ｆＷ：広角端における全系の焦点距離
【請求項４】
前記１ａレンズは物体側に凸面を向けたメニスカス形状を有することを特徴とする請求項１〜３の何れか１項に記載のズームレンズ。
【請求項５】
前記１ａレンズは以下の条件式を満足することを特徴とする請求項１〜４の何れか１項に記載のズームレンズ。
ｎ１ａ＞１．８
ν１ａ＞３０
但し、
ｎ１ａ：前記１ａレンズのｄ線における屈折率
ν１ａ：前記１ａレンズのアッベ数
【請求項６】
以下の条件式を満足することを特徴とする請求項１〜５の何れか１項に記載のズームレンズ。
１．５＜β２Ｔ／β２Ｗ＜２．５
但し、
β２Ｗ：広角端における前記第２レンズ群の横倍率
β２Ｔ：望遠端における前記第２レンズ群の横倍率
【請求項７】
以下の条件式を満足することを特徴とする請求項１〜６の何れか１項に記載のズームレンズ。
０．８＜｜ｆ３／ｆＷ｜＜２．０
但し、
ｆ３：前記第３レンズ群の焦点距離
ｆＷ：広角端における全系の焦点距離
【請求項８】
前記第３レンズ群は以下の条件式を満足することを特徴とする請求項１〜７の何れか１項に記載のズームレンズ。
ｎ３＞１．５
ν３＞３５
但し、
ｎ３：前記第３レンズ群のｄ線における屈折率
ν３：前記第３レンズ群のアッベ数
【請求項９】
前記第３レンズ群中の負レンズは、プラスチックから成り、少なくとも１面の非球面を有することを特徴とする請求項１〜８の何れか１項に記載のズームレンズ。
【請求項１０】
前記第３レンズ群を移動させることにより合焦を行い、以下の条件式を満足することを特徴とする、請求項１〜９の何れか１項に記載のズームレンズ。
１．３＜β３４Ｗ＜２．０
１．９＜β３４Ｔ＜３．０
但し、
β３４Ｗ：広角端における前記第３レンズ群と前記第４レンズ群の合成横倍率
β３４Ｔ：広角端における前記第３レンズ群と前記第４レンズ群の合成横倍率
【請求項１１】
前記第４レンズ群は１枚のプラスチックレンズから成り、前記第４レンズ群の中のレンズは少なくとも１面の非球面を有し、以下の条件式を満足することを特徴とする請求項１〜１０の何れか１項に記載のズームレンズ。
１．０＜ｆＴ／ｆ４＜２．０
但し、
ｆ４：前記第４レンズ群の焦点距離
ｆＴ：望遠端における全系の焦点距離
【請求項１２】
前記第４レンズ群は変倍時に移動しないことを特徴とする請求項１〜１１の何れか１項に記載のズームレンズ。
【請求項１３】
前記第４レンズ群は合焦時に移動しないことを特徴とする請求項１〜１２の何れか１項に記載のズームレンズ。
【請求項１４】
請求項１〜１３の何れか１項に記載のズームレンズを備えたことを特徴とする撮像装置。
【発明の詳細な説明】
【技術分野】
【０００１】
本発明は、デジタルカメラ、ビデオカメラ及び携帯端末等に用いられ、カメラの厚み方向が薄く、広画角で明るいＦナンバーを有し、諸収差が良好に補正されたズームレンズ及び撮像装置に関する。
【背景技術】
【０００２】
従来より、３倍程度の変倍比でカメラ厚み寸法を小さくできる光学系として、第１レンズ群が負の屈折力を有し、第１レンズ群内にプリズム等の反射光学素子を用いて光軸を折り曲げる屈曲光学系がよく用いられており、特許公報に開示されている（例えば、特許文献１，２参照）。
【先行技術文献】
【特許文献】
【０００３】
【特許文献１】特開２００７−１５６０７８号公報
【特許文献２】特開２００７−９３９５５号公報
【発明の概要】
【発明が解決しようとする課題】
【０００４】
しかし、特許文献１におけるズームレンズは、物体側から順に負正正正の４群構成を採用しているが、そのパワー配置の偏りゆえ、良好な光学性能を得ようとすると大型化する。また、特許文献２におけるズームレンズでは、負正負正のパワー配置を取っているが、レンズ構成が簡素なためＦナンバーが暗くなり、商品的に魅力的な仕様とは言い難い。
【０００５】
本発明は、カメラの厚み方向が薄く、広画角、明るいＦナンバーを有し、さらに諸収差が良好に補正されたズームレンズ及び該ズームレンズを備えた撮像装置を提供するものである。
【課題を解決するための手段】
【０００６】
上記目的は下記に記載した発明により達成される。
【０００７】
１．物体側より順に、負の屈折力を有する第１レンズ群、正の屈折力を有する第２レンズ群、負の屈折力を有する第３レンズ群、及び正の屈折力を有する第４レンズ群を有し、変倍に際し各レンズ群の間隔を変えることにより変倍を行うズームレンズにおいて、
前記第１レンズ群は、物体側より順に、負の１ａレンズ、光線を反射させることで光路を折り曲げる作用を持つ反射光学素子、及び負の１ｂレンズから少なくとも構成されると共に、前記１ａレンズの像側面と前記１ｂレンズの物体側面は何れも負の屈折力を有し、
前記第２レンズ群は、物体側より順に、正の２ａレンズ、負の２ｂレンズ、及び正の２ｃレンズから構成されると共に、前記２ｂレンズと２ｃレンズは接合され、
前記第３レンズ群は１枚の負レンズから構成され、
以下の条件式を満足することを特徴とするズームレンズ。
【０００８】
０．４＜ｆＢＷ／ｆＷ＜１．０      （１）
１．０＜｛（１−ｎ１ａ）／ｒ１ａ｝／｛（ｎ１ｂ−１）／ｒ１ｂ｝＜４．０    （２）
但し、
ｆＢＷ：広角端におけるバックフォーカス（空気換算長）
ｆＷ：広角端における全系の焦点距離
ｎ１ａ：前記１ａレンズのｄ線における屈折率
ｎ１ｂ：前記１ｂレンズのｄ線における屈折率
ｒ１ａ：前記１ａレンズの像側面の曲率半径
ｒ１ｂ：前記１ｂレンズの物体側面の曲率半径
２．以下の条件式を満足することを特徴とする前記１に記載のズームレンズ。
【０００９】
１．０＜｜ｆ１／ｆＷ｜＜２．０      （３）
但し、
ｆ１：前記第１レンズ群の焦点距離
ｆＷ：広角端における全系の焦点距離
３．前記１ａレンズは以下の条件式を満足することを特徴とする前記１又は前記２に記載のズームレンズ。
【００１０】
１．０＜｜ｆ１ａ／ｆＷ｜＜３．０      （４）
但し、
ｆ１ａ：前記１ａレンズの焦点距離
ｆＷ：広角端における全系の焦点距離
４．前記１ａレンズは物体側に凸面を向けたメニスカス形状を有することを特徴とする前記１〜３の何れか１項に記載のズームレンズ。
【００１１】
５．前記１ａレンズは以下の条件式を満足することを特徴とする前記１〜４の何れか１項に記載のズームレンズ。
【００１２】
ｎ１ａ＞１．８      （５）
ν１ａ＞３０      （６）
但し、
ｎ１ａ：前記１ａレンズのｄ線における屈折率
ν１ａ：前記１ａレンズのアッベ数
６．以下の条件式を満足することを特徴とする前記１〜５の何れか１項に記載のズームレンズ。
【００１３】
１．５＜β２Ｔ／β２Ｗ＜２．５      （７）
但し、
β２Ｗ：広角端における前記第２レンズ群の横倍率
β２Ｔ：望遠端における前記第２レンズ群の横倍率
７．以下の条件式を満足することを特徴とする前記１〜６の何れか１項に記載のズームレンズ。
【００１４】
０．８＜｜ｆ３／ｆＷ｜＜２．０      （８）
但し、
ｆ３：前記第３レンズ群の焦点距離
ｆＷ：広角端における全系の焦点距離
８．前記第３レンズ群は以下の条件式を満足することを特徴とする前記１〜７の何れか１項に記載のズームレンズ。
【００１５】
ｎ３＞１．５      （９）
ν３＞３５      （１０）
但し、
ｎ３：前記第３レンズ群のｄ線における屈折率
ν３：前記第３レンズ群のアッベ数
９．前記第３レンズ群中の負レンズは、プラスチックから成り、少なくとも１面の非球面を有することを特徴とする前記１〜８の何れか１項に記載のズームレンズ。
【００１６】
１０．前記第３レンズ群を移動させることにより合焦を行い、以下の条件式を満足することを特徴とする、前記１〜９の何れか１項に記載のズームレンズ。
【００１７】
１．３＜β３４Ｗ＜２．０      （１１）
１．９＜β３４Ｔ＜３．０      （１２）
但し、
β３４Ｗ：広角端における前記第３レンズ群と前記第４レンズ群の合成横倍率
β３４Ｔ：広角端における前記第３レンズ群と前記第４レンズ群の合成横倍率
１１．前記第４レンズ群は１枚のプラスチックレンズから成り、前記第４レンズ群の中のレンズは少なくとも１面の非球面を有し、以下の条件式を満足することを特徴とする前記１〜１０の何れか１項に記載のズームレンズ。
【００１８】
１．０＜ｆＴ／ｆ４＜２．０      （１３）
但し、
ｆ４：前記第４レンズ群の焦点距離
ｆＴ：望遠端における全系の焦点距離
１２．前記第４レンズ群は変倍時に移動しないことを特徴とする前記１〜１１の何れか１項に記載のズームレンズ。
【００１９】
１３．前記第４レンズ群は合焦時に移動しないことを特徴とする前記１〜１２の何れか１項に記載のズームレンズ。
【００２０】
１４．前記１〜１３の何れか１項に記載のズームレンズを備えたことを特徴とする撮像装置。
【００２１】
本発明においては、第２レンズ群と第３レンズ群が光軸上を移動することで、変倍を行っている。コサイン４乗則の影響を受けやすい広角側において、第１レンズ群と第２レンズ群以降の関係が負・正のレトロフォーカス型の配置となるため、周辺光量やバックフォーカスを確保しやすいという利点がある。一方、望遠側においては、第１・第２レンズ群と第３・第４レンズ群との関係が正・負のテレフォト型となるため、コンパクトな光学系を構成することができる。また、開口絞りが第２レンズ群近傍に存在するため、この前後に存在する負の第１・第３レンズ群が絞りに関して略対称的に配置されることになり、良好な収差補正が可能となる。第４レンズ群に正の屈折力を持たせることにより、負の第３レンズ群からの発散光束を収斂させ、良好なテレセントリック性を得ることができる。
【００２２】
本発明のような屈曲光学系の場合、反射光学素子よりも物体側に負レンズ（１ａレンズ）を配置することで、反射光学素子に入射する光線高を低くすることができるため、カメラの厚みを薄くすることが可能である。さらに、この負レンズが物体側に凸のメニスカス形状を有することにより、レンズへの光線入射角を小さくすることができるので、ここでの収差発生を小さく抑えることができ、好ましい。
【００２３】
本発明においては、反射光学素子にプリズムを用いているが、これに限定されるものではなく、例えばミラーであってもよい。但し、プリズムを用いた方がミラーを使用した場合よりも、反射光学系内を通過する光束径を小さくすることができる分、小型化には有利である。
【００２４】
反射光学素子より像側にも負レンズ（１ｂレンズ）を配置することにより、第１レンズ群内での負の屈折力を分割できるため、第１レンズ群で発生する歪曲収差、非点収差、倍率色収差等を小さく抑えることが可能となる。
【００２５】
第２レンズ群を、物体側より順に正負正のレンズで構成することにより、トリプレット型の配置となるため、球面収差、コマ収差、軸上色収差等を良好に補正することができる。さらに、本発明では、像側の２枚の負正レンズを貼り合わせることにより、第２レンズ群を２つの部品要素から構成することができるため、３枚の単レンズから構成する時に比べ、レンズの鏡胴に組み込む工数や誤差要因が少なくなるため、生産性が向上する。
【００２６】
第２レンズ群の正屈折力により、第３群以降を通過する光束幅は比較的細くなるため、第３群、第４群が１枚のレンズから構成されていても非点収差等の十分な補正が可能となる。非球面を使用すれば、補正効果はさらに高まる。
【００２７】
第３、第４レンズ群にプラスチックレンズを採用することで、コストダウン・軽量化に寄与する。特に第３レンズ群は変倍時及び合焦時に移動するため、アクチュエータへの負荷を小さく抑えることが可能である。上記のように第３レンズ群と第４レンズ群を通過する光束径が比較的細く、また、第３レンズ群と第４レンズ群は負と正で互いに反対の屈折力を有するため、温度変化時の焦点移動及び光学性能変化は小さくて済む。
【００２８】
合焦に際しては第３レンズ群の移動で行うことが望ましい。第２レンズ群で合焦しようとすると、望遠側で第１レンズ群との空気間隔が不足し、合焦が困難となり、これを解消しようとして光学系が大きくなってしまう。また、第４レンズ群で合焦しようとすると群の倍率が小さいため、移動量が多くなり、光学系の小型化を阻み、また光学性能の変動も多いものとなってしまう。従って、比較的倍率が高く、移動に必要な空間を確保しやすい第３レンズ群で行うことが、光学系の小型化・高性能化を達成しやすい。
【００２９】
本発明においては、第４レンズ群が変倍時に固定なので、撮像素子近辺の密閉性を高め、ゴミや埃の進入を防ぐ効果がある。また、機構の簡素化にも寄与する。
【００３０】
条件式（１）の下限を超えると、バックフォーカスが短くなり過ぎ、第４レンズ群が結像面に近付き過ぎてしまい、ゴミ・キズが目立ちやすくなったり、同時に第４レンズ群が絞りから離れ過ぎてしまい、この群での非点収差等の開口収差補正が困難になったりする。また、上限を超えると第４レンズ群位置が物体側に寄り過ぎてしまい、第２レンズ群、第３レンズ群の移動範囲を狭めてしまうので、これらのレンズ群の屈折力が必要以上に強まり、光学性能が低下したり誤差感度が増加してしまう。従って、条件式（１）の範囲に収めれば、良好な光学性能を得ることができる。なお、０．４＜ｆＢＷ／ｆＷ＜０．７の範囲に収めれば前記効果はさらに高まる。
【００３１】
条件式（２）の下限を超えると、１ａレンズの像側面の負屈折力が相対的に小さくなり過ぎ、１ｂレンズの物体側面の負屈折力が相対的に大きくなり過ぎてしまうため、反射光学系内を通過する光束径が大きくなってしまい、カメラの厚み寸法が大きくなってしまう。上限を超えると、１ａレンズの像側面の負屈折力が相対的に大きくなり過ぎ、１ｂレンズの物体側面の負屈折力が相対的に小さくなり過ぎてしまうため、１ａレンズの像側面で発生する歪曲収差や非点収差等が大きくなってしまう。また、１ａレンズの屈折率が一定の下では、１ａレンズ像側面のサグ量が大きくなり、光路を折り曲げた後の光軸に対し、１ａレンズの出っ張りが大きくなってしまう。従って、条件式（２）の範囲内に収めれば、カメラの薄肉化と良好な光学性能の両立化を図ることができる。なお、１．３＜｛（１−ｎ１ａ）／ｒ１ａ｝／｛（ｎ１ｂ−１）／ｒ１ｂ｝＜３．１の範囲に収めれば、前記効果はさらに高まる。
【００３２】
条件式（３）の下限を超えると、第１レンズ群の屈折力が強くなり過ぎ、歪曲収差や非点収差等の発生が大きくなり、良好な光学性能が得られなくなってしまう。さらに、第１レンズ群内で共軸系・偏芯誤差が発生した際の光学性能劣化が大きくなってしまう。また上限を超えると、第１レンズ群の屈折力が弱くなり過ぎ、光学系の大型化を招いてしまう。従って、条件式（３）の範囲内に収めれば、良好な光学性能を得ることができる。なお、１．２＜｜ｆ１／ｆＷ｜＜１．６の範囲に収めれば、前記効果はさらに高まる。
【００３３】
条件式（４）の下限を超えると、１ａレンズの屈折力が大きくなり過ぎ、歪曲収差や非点収差等の発生が大きくなり過ぎ、他レンズによる補正が困難となる。また上限を超えると、１ａレンズの屈折力が小さくなり過ぎ、反射光学系内を通過する光束径が大きくなってしまい、カメラの厚み寸法が大きくなってしまう。従って、条件式（４）の範囲内に収めれば、良好な光学性能と光学系の小型化を両立させることができる。なお、１．８＜｜ｆ１ａ／ｆＷ｜＜２．５の範囲に収めれば前記効果はさらに高まる。
【００３４】
条件式（５）を満たすことにより、レンズの屈折率が高くなるので、同じ屈折力を得るのに比較的緩い曲率半径を持たせることができ、結果、歪曲収差、非点収差の抑制効果が高まる。なお、ｎ１ａ＞１．８５の範囲に収めれば、前記効果はさらに高まる。
【００３５】
条件式（６）を満たすことで１ａレンズの色分散が小さくなるため、ここでの倍率色収差の発生を抑えることができる。なお、ν１ａ＞４０の範囲に収めれば、前記効果はさらに高まる。
【００３６】
条件式（７）の下限を超えると、第２レンズ群における変倍効果が小さ過ぎるので、同じ大きさを保とうとして第３レンズ群の屈折力を強くして、ここで発生する非点収差等や誤差感度を大きくしてしまうか、光学性能を保とうとして、第３レンズ群の移動量を増やすことで光学系の大型化を招いてしまう。上限を超えると、第２レンズ群での変倍効果を高めようとし、第２レンズ群の屈折力を強め過ぎたことによる球面収差、コマ収差等の劣化や誤差感度の増加が発生してしまうか、光学性能を保とうとして、第２レンズ群の移動量を増やすことで光学系の大型化を招いてしまう。従って、条件式（７）の範囲内に収めれば、良好な光学性能と光学系の小型化を両立させることができる。なお、１．９＜β２Ｔ／β２Ｗ＜２．２の範囲に収めれば、前記効果はさらに高まる。
【００３７】
条件式（８）の下限を超えると、第３レンズ群の屈折力が強くなり過ぎ、ここで発生する非点収差や倍率色収差が大きくなり、光学性能の低下を招く。また、共軸系誤差や偏芯誤差発生時の光学性能劣化も大きくなってしまう。上限を超えると、第３レンズ群の屈折力が弱くなり過ぎ、同じ全長を保とうとして他のレンズ群の屈折力を強め、諸収差や誤差感度を大きくしてしまったり、良好な光学性能を得ようとして、光学系を大型化してしまう。従って、条件式（８）の範囲内に収めれば、良好な光学性能と光学系の小型化を両立させることができる。なお、１．０＜｜ｆ３／ｆＷ｜＜１．４の範囲に収めれば前記効果はさらに高まる。
【００３８】
条件式（９）を満たすことで、非点収差、コマ収差等の単色収差の発生を抑え、またレンズ面偏芯感度を小さく抑えることができる。
【００３９】
条件式（１０）を満たすことで、第３レンズ群で発生する倍率色収差等の発生を抑えることが可能である。なお、ν３＞３５の範囲に収めることで、前記効果はさらに高まる。
【００４０】
条件式（１１）、（１２）の下限を超えると、広角端・望遠端における第３レンズ群と第４レンズ群の合成横倍率が小さくなり過ぎ、合焦時、第３レンズ群の移動量が多くなり過ぎ、光学系を大型化させてしまう。上限を超えると、第３レンズ群と第４レンズ群の合成横倍率が大きくなり過ぎ、合焦時の焦点移動量が多くなり過ぎる。そうなると、離散的な合焦移動に対して、合焦距離の変化が大きくなるため、非常に微細なレンズ駆動が必要となる。さらに、機構・制御的な誤差により、レンズ位置が変化した場合の焦点移動も大きくなるため、非常に高精度な部品精度・制御が必要となり、生産性が低い。従って、条件式（１１）、（１２）の範囲内に収めれば、光学系の小型化と良好な生産性の両立が可能となる。なお、１．５＜β３４Ｗ＜１．８、１．９＜β３４Ｔ＜２．４の範囲に収めることにより、前記効果はさらに高まる。
【００４１】
条件式（１３）を満たせば、下限以下で第４レンズ群の屈折力が強くなり過ぎることによる、第４レンズ群で発生する歪曲収差等の発生を小さく抑えることができ、また温度変化時の光学性能・焦点移動も抑制可能となる。上限以上で第４レンズ群の屈折力が弱くなり過ぎることによる、光学系の大型化やテレセントリック性の低下を免れることができる。なお、１．２＜ｆＴ／ｆ４＜１．８の範囲に収めることにより、前記効果はさらに高まる。
【発明の効果】
【００４２】
本発明のズームレンズ及び撮像装置によれば、カメラの厚み方向を薄くでき、広画角で明るいＦナンバーを有することができ、さらに諸収差を良好に補正することができる。
【図面の簡単な説明】
【００４３】
【図１】撮像装置のブロック図である。
【図２】携帯電話機の内部構成を示すブロック図である。
【図３】実施例１における広角端におけるレンズ構成図である。
【図４】実施例１における広角端における収差図である。
【図５】実施例１における中間焦点距離における収差図である。
【図６】実施例１における望遠端における収差図である。
【図７】実施例２における広角端におけるレンズ構成図である。
【図８】実施例２における広角端における収差図である。
【図９】実施例２における中間焦点距離における収差図である。
【図１０】実施例２における望遠端における収差図である。
【図１１】実施例３における広角端におけるレンズ構成図である。
【図１２】実施例３における広角端における収差図である。
【図１３】実施例３における中間焦点距離における収差図である。
【図１４】実施例３における望遠端における収差図である。
【図１５】実施例４における広角端におけるレンズ構成図である。
【図１６】実施例４における広角端における収差図である。
【図１７】実施例４における中間焦点距離における収差図である。
【図１８】実施例４における望遠端における収差図である。
【図１９】実施例５における広角端におけるレンズ構成図である。
【図２０】実施例５における広角端における収差図である。
【図２１】実施例５における中間焦点距離における収差図である。
【図２２】実施例５における望遠端における収差図である。
【発明を実施するための形態】
【００４４】
本発明のズームレンズを搭載した撮像装置の実施の形態について、図１及び図２を参照して説明する。図１は撮像装置のブロック図である。
【００４５】
図１において、撮像装置１００は、ズームレンズ１０１、撮像素子１０２、Ａ／Ｄ変換部１０３、制御部１０４、光学系駆動部１０５、タイミング発生部１０６、撮像素子駆動部１０７、画像メモリ１０８、画像処理部１０９、画像圧縮部１１０、画像記録部１１１、表示部１１２、及び操作部１１３より構成される。
【００４６】
ズームレンズ１０１は、被写体像を撮像素子１０２の撮像面に結像させる機能を有する。
【００４７】
撮像素子１０２は、ＣＣＤ（電荷結合素子）やＣＭＯＳ（相補型金属酸化物半導体）からなり、入射光をＲＧＢ毎に光電変換し、そのアナログ信号を出力する。
【００４８】
Ａ／Ｄ変換部１０３は、アナログ信号をデジタルの画像データに変換する。
【００４９】
制御部１０４は、撮像装置１００の各部を制御する。制御部１０４は、ＣＰＵ（Ｃｅｎｔｒａｌ Ｐｒｏｃｅｓｓｉｎｇ Ｕｎｉｔ）、ＲＡＭ（Ｒａｎｄｏｍ Ａｃｃｅｓｓ Ｍｅｍｏｒｙ）、ＲＯＭ（Ｒｅａｄ Ｏｎｌｙ Ｍｅｍｏｒｙ）を含み、ＲＯＭから読み出されてＲＡＭに展開された各種プログラムとＣＰＵとの協働で各種処理を実行する。
【００５０】
光学系駆動部１０５は、制御部１０４の制御により、変倍、合焦、露出等において、ズームレンズ１０１を駆動制御する。
【００５１】
タイミング発生部１０６は、アナログ信号出力用のタイミング信号を出力する。
【００５２】
撮像素子駆動部１０７は、撮像素子１０２を走査駆動制御する。
【００５３】
画像メモリ１０８は、画像データを読み出し及び書き込み可能に記憶する。
【００５４】
画像処理部１０９は、画像データに各種画像処理を施す。
【００５５】
画像圧縮部１１０は、ＪＰＥＧ（Ｊｏｉｎｔ Ｐｈｏｔｏｇｒａｐｈｉｃ Ｅｘｐｅｒｔｓ Ｇｒｏｕｐ）等の圧縮方式により、撮像画像データを圧縮する。
【００５６】
画像記録部１１１は、図示しないスロットにセットされた、メモリカード等の記録メディアに画像データを記録する。
【００５７】
表示部１１２は、カラー液晶パネル等であり、撮影後の画像データ、撮影前のスルー画像、及び各種操作画面等を表示する。
【００５８】
操作部１１３は、レリーズボタン及び各種モード等を設定するための各種操作キーを含み、ユーザにより操作入力された情報を制御部１０４に出力する。
【００５９】
ここで、撮像装置１００における動作を説明する。撮影時に、被写体のモニタリング（スルー画像表示）と、画像撮影実行とが行われる。モニタリングにおいては、ズームレンズ１０１を介して得られた被写体の像が、撮像素子１０２の受光面に結像される。撮像素子１０２は、タイミング発生部１０６及び撮像素子駆動部１０７によって走査駆動され、一定周期毎に結像した光像に対応する光電変換出力としてのアナログ信号を１画面分出力する。
【００６０】
このアナログ信号は、ＲＧＢの各原色成分毎に適宜ゲイン調整された後に、Ａ／Ｄ変換部１０３でデジタルデータに変換される。そのデジタルデータは、画像処理部１０９により、画素補間処理及びＹ補正処理を含むカラープロセス処理が行なわれて、デジタル値の輝度信号Ｙ及び色差信号Ｃｂ，Ｃｒ（画像データ）が生成されて画像メモリ１０８に格納され、定期的にその信号が読み出されてそのビデオ信号が生成されて、表示部１１２に出力される。
【００６１】
この表示部１１２は、モニタリングにおいては電子ファインダとして機能し、撮像画像をリアルタイムに表示することとなる。この状態で、随時、ユーザの操作部１１３を介する操作入力に基づいて、光学系駆動部１０５の駆動によりズームレンズ１０１の変倍、合焦、露出等が設定される。
【００６２】
このようなモニタリング状態において、ユーザが操作部１１３のレリーズボタンを操作することにより、静止画像データが撮影される。レリーズボタンの操作に応じて、画像メモリ１０８に格納された１コマの画像データが読み出されて、画像圧縮部１１０により圧縮される。その圧縮された画像データが、画像記録部１１１により記録メディアに記録される。
【００６３】
なお、上述の撮像装置１００は本発明に好適な撮像装置の一例であり、これに限定されるものではない。
【００６４】
即ち、ズームレンズを搭載した撮像装置としては、デジタルスチルカメラ、ビデオカメラ、撮像機能付の携帯電話機、ＰＨＳ（Ｐｅｒｓｏｎａｌ Ｈａｎｄｙｐｈｏｎｅ Ｓｙｓｔｅｍ）、ＰＤＡ（Ｐｅｒｓｏｎａｌ Ｄｉｇｉｔａｌ Ａｓｓｉｓｔａｎｔ）等であってもよい。
【００６５】
次に、図２を参照して、撮像装置１００を搭載した携帯電話機３００の例を説明する。図２は携帯電話機の内部構成を示すブロック図である。
【００６６】
携帯電話機３００は、各部を統括的に制御すると共に各処理に応じたプログラムを実行する制御部（ＣＰＵ）３１０と、番号等をキーにより操作入力するための操作部３２０と、所定のデータの他に撮像した映像等を表示する表示部３３０と、アンテナ３４１を介して外部サーバ等との間の各種情報通信を実現するための無線通信部３４０と、撮像装置１００と、携帯電話機３００のシステムプログラムや各種処理プログラム及び端末ＩＤ等の必要な諸データを記憶している記憶部（ＲＯＭ）３６０と、制御部３１０によって実行される各種処理プログラムやデータ、処理データ、若しくは撮像装置１００による撮像データ等を一時的に格納する作業領域として用いられる一時記憶部（ＲＡＭ）３７０とを備えている。
【００６７】
なお、撮像装置１００の制御部１０４と、携帯電話機３００の制御部３１０とは通信可能に接続されており、かかる場合に図１に示す表示部１１２や操作部１１３等の機能を携帯電話機３００側に持たせることができるが、撮像装置１００自体の動作は基本的に同様である。より具体的には、撮像装置１００の外部接続端子（不図示）は、携帯電話機３００の制御部３１０と接続され、携帯電話機３００側から撮像装置１００側にレリーズ信号が送信され、撮像により得られた輝度信号や色差信号等の画像信号は撮像装置１００側から制御部３１０側に出力する。かかる画像信号は、携帯電話機３００の制御系により、記憶部３６０に記憶され、或いは表示部３３０で表示され、更には、無線通信部３４０を介して映像情報として外部に送信されることができる。
【００６８】
その他に、ズームレンズを搭載した撮像装置としては、基板上に実装された撮像素子のみを有し、コネクタ等により制御部、画像処理部及び表示部等を備えた外部機器と接続可能なカメラモジュールであってもよい。
【実施例】
【００６９】
以下に本発明のズームレンズに関する実施例を示す。
【００７０】
なお、以下に示す符号は下記の通りである。
【００７１】
ｆ：全系の焦点距離
Ｆ：Ｆナンバー
ω：半画角
Ｒ：曲率半径
ｄ：レンズ間隔
ｎｄ：ｄ線に対する屈折率
νｄ：アッベ数
＊：非球面
非球面の形状は、面の頂点を原点とし、光軸方向にＸ軸を取り、光軸と垂直方向の高さをｈとして、以下の数１で表す。
【００７２】
【数１】
2011069962.tif 000003
【００７３】
但し、
Ａｉ：ｉ次の非球面係数
Ｒ：曲率半径
Ｋ：円錐定数
各実施例におけるレンズ構成図において、Ｌ１は第１レンズ群、Ｌ２は第２レンズ群、Ｌ３は第３レンズ群、Ｌ４は第４レンズ群、Ｓは開口絞り、Ｆｉはローパスフィルタとカバーガラス、Ｐは結像面である。また、矢印は広角端からの変倍時におけるレンズ群の移動方向を示す。
（実施例１）
面データを以下に示す。
面番号        Ｒ(mm)      ｄ(mm)       ｎｄ      νｄ
１         111.977       0.40      1.88300    40.8
２           7.547       1.31
３            ∞         5.45      1.84666    23.8
４            ∞         0.56
５         -13.418       0.40      1.64386    60.3
６          15.228       0.76      1.94595    18.0
７          69.568     d1(可変)
８(絞り)      ∞         0.00
９(＊)       3.828       1.25      1.72545    54.9
10(＊)    -460.342       0.20
11           4.722       0.40      1.90555    27.7
12           2.466       1.66      1.49700    81.6
13(＊)      45.103     d2(可変)
14(＊)     -16.011       0.50      1.88300    40.8
15(＊)       5.508     d3(可変)
16(＊)     -82.555       1.73      1.57312    39.3
17(＊)      -4.914       1.98
18            ∞         0.50      1.51633    64.2
19            ∞
非球面係数を以下に示す。
第９面
K=0,A4=1.53132E-04,A6=5.42021E-05,A8=-3.73675E-05,A10=1.61117E-05,
A12=-4.05212E-07
第10面
K=0,A4=2.76611E-03,A6=-2.52902E-04,A8=9.46716E-05,A10=-6.24505E-06,
A12=2.21199E-06
第13面
K=0,A4=2.30213E-03,A6=1.78380E-03,A8=-4.45900E-04,A10=3.81544E-05,
A12=1.13690E-05
第14面
K=0,A4=2.01208E-02,A6=-1.41651E-03,A8=-2.50682E-03,A10=6.38606E-04,
A12=4.12184E-15,A14=-1.06416E-16
第15面
K=0,A4=2.51006E-02,A6=6.36763E-04,A8=-3.76529E-03,A10=8.74652E-04,
A12=4.15101E-15,A14=-3.54946E-16
第16面
K=0,A4=-2.10459E-03,A6=7.77673E-04,A8=-4.65366E-05,A10=-3.89643E-07,
A12=3.57733E-07,A14=-1.27146E-08
第17面
K=0,A4=-3.83294E-05,A6=1.25113E-04,A8=3.01398E-05,A10=2.15840E-06,
A12=-8.00106E-07,A14=5.50489E-08
変倍時の各種データを以下に示す。
ズーム比             2.75
広角          中間          望遠
焦点距離             4.25          7.00         11.69
Ｆナンバー           3.28          4.42          5.81
半画角              36.8          22.9          14.1
像高                 3.01          3.01          3.01
レンズ全長          26.34         26.31         26.30
バックフォーカス     2.86          2.84          2.83
ｄ１                 5.974         3.160         0.500
ｄ２                 1.300         1.680         2.889
ｄ３                 1.570         4.004         5.455
ズームレンズ群データを以下に示す。
群    始面      焦点距離
１     １        -5.78
２     ９         4.57
３     14        -4.59
４     16         9.04
なお、前述の各条件式に対応する値は下記の通りである。
ｆＢｗ／ｆｗ＝0.67
｛（１−ｎ１ａ）／ｒ１ａ｝／｛（ｎ１ｂ−１）／ｒ１ｂ｝＝2.44
｜ｆ１／ｆＷ｜＝1.36
｜ｆ１ａ／ｆＷ｜＝2.16
ｎ１ａ＝1.88300
ν１ａ＝40.8
β２Ｔ／β２Ｗ＝2.05
｜ｆ３／ｆＷ｜＝1.08
ｎ３＝1.88300
ν３＝40.8
β３４Ｗ＝1.72
β３４Ｔ＝2.31
ｆＴ／ｆ４＝1.29
また、図３は広角端におけるレンズ構成図、図４は広角端における収差図、図５は中間焦点距離における収差図、図６は望遠端における収差図である。
（実施例２）
面データを以下に示す。
面番号        Ｒ(mm)      ｄ(mm)       ｎｄ      νｄ
１         129.144       0.40      1.88300    40.8
２           7.240       1.34
３            ∞         5.33      1.84666    23.8
４            ∞         1.09
５          -7.948       0.40      1.72916    54.7
６          28.722       0.86      1.92286    20.9
７         -25.769     d1(可変)
８(絞り)      ∞         0.00
９(＊)       3.687       1.32      1.69350    53.2
10(＊)     -11.912       0.24
11          16.527       0.52      1.90366    31.3
12           2.898       1.84      1.49700    81.4
13(＊)      -9.038     d2(可変)
14(＊)      -9.994       0.58      1.88300    40.8
15(＊)       4.201     d3(可変)
16(＊)      21.952       2.89      1.53048    55.7
17(＊)      -3.828       0.79
18            ∞         0.50      1.51633    64.2
19            ∞
但し、第８レンズはプラスチックレンズである。
【００７４】
非球面係数を以下に示す。
第９面
K=0,A4=-4.29037E-04,A6=3.45367E-05,A8=7.11698E-05,A10=-2.43907E-05,
A12=4.90464E-06
第10面
K=0,A4=5.08261E-03,A6=-4.77440E-04,A8=2.65526E-04,A10=-6.80968E-05,
A12=1.03507E-05
第13面
K=0,A4=-5.69485E-04,A6=8.39093E-04,A8=-1.20138E-06,A10=-4.02213E-05,
A12=1.13690E-05
第14面
K=0,A4=1.97940E-02,A6=-4.02126E-03,A8=-6.20948E-04,A10=2.31911E-04,
A12=1.15941E-14,A14=2.29386E-16
第15面
K=0,A4=2.42047E-02,A6=-2.83058E-03,A8=-1.44350E-03,A10=3.66559E-04,
A12=9.51827E-15,A14=-6.12898E-17
第16面
K=0,A4=-1.11061E-03,A6=3.98066E-04,A8=-1.23170E-05,A10=-7.51508E-07,
A12=8.15671E-08,A14=-1.75563E-09
第17面
K=0,A4=4.42204E-03,A6=1.87921E-04,A8=-3.34518E-05,A10=8.09433E-06,
A12=-6.89758E-07,A14=2.44524E-08
変倍時の各種データを以下に示す。
ズーム比             2.75
広角          中間          望遠
焦点距離             4.00          6.62         11.01
Ｆナンバー           3.13          4.26          5.59
半画角              38.4          24.0          15.0
像高                 3.01          3.01          3.01
レンズ全長          27.79         27.74         27.73
バックフォーカス     1.66          1.61          1.60
ｄ１                 5.988         3.197         0.500
ｄ２                 1.769         2.177         3.419
ｄ３                 1.574         3.957         5.412
ズームレンズ群データを以下に示す。
群    始面      焦点距離
１     １       -5.33
２     ９        4.81
３     14       -4.19
４     16        6.39
プラスチックレンズの温度変化によるピント移動量を以下に示す。
【００７５】
広角          中間          望遠
ｆ                   4.00          6.62         11.01
ピント移動量         0.001         0.001         0.001
なお、前述の各条件式に対応する値は下記の通りである。
ｆＢｗ／ｆｗ＝0.41
｛（１−ｎ１ａ）／ｒ１ａ｝／｛（ｎ１ｂ−１）／ｒ１ｂ｝＝1.33
｜ｆ１／ｆＷ｜＝1.33
｜ｆ１ａ／ｆＷ｜＝2.17
ｎ１ａ＝1.88300
ν１ａ＝40.8
β２Ｔ／β２Ｗ＝2.00
｜ｆ３／ｆＷ｜＝1.05
ｎ３＝1.69350
ν３＝53.2
β３４Ｗ＝1.71
β３４Ｔ＝2.36
ｆＴ／ｆ４＝1.72
また、図７は広角端におけるレンズ構成図、図８は広角端における収差図、図９は中間焦点距離における収差図、図１０は望遠端における収差図である。
（実施例３）
面データを以下に示す。
面番号        Ｒ(mm)      ｄ(mm)       ｎｄ      νｄ
１          20.653       0.40      1.88300    40.8
２           5.186       1.52
３            ∞         5.16      1.84666    23.8
４            ∞         0.61
５         -10.195       0.40      1.56883    56.0
６          12.689       0.84      1.92286    20.9
７         254.643     d1(可変)
８(絞り)      ∞         0.00
９(＊)       4.116       1.60      1.58913    61.3
10(＊)     -17.593       0.40
11          11.516       0.40      1.90366    31.3
12           3.095       1.73      1.58913    61.3
13(＊)     -12.557     d2(可変)
14(＊)     -26.802       0.70      1.53048    55.7
15(＊)       3.152     d3(可変)
16(＊)      16.804       2.32      1.53048    55.7
17(＊)      -4.707       0.90
18            ∞         0.50      1.51633    64.2
19            ∞
但し、第７レンズ及び第８レンズはプラスチックレンズである。
【００７６】
非球面係数を以下に示す。
第９面
K=0,A4=-1.23782E-03,A6=-1.27913E-04,A8=8.04102E-06,A10=-7.03965E-06,
A12=2.27137E-07
第10面
K=0,A4=1.38764E-03,A6=-4.79108E-04,A8=1.42662E-04,A10=-4.25766E-05,
A12=3.73228E-06
第13面
K=0,A4=8.99843E-04,A6=1.62449E-04,A8=1.79488E-05,A10=1.54987E-05,
A12=-3.25815E-06
第14面
K=0,A4=-1.27392E-02,A6=1.05320E-02,A8=-7.57619E-03,A10=3.22774E-03,
A12=-7.10398E-04,A14=5.95625E-05
第15面
K=0,A4=-1.52979E-02,A6=1.36112E-02,A8=-9.46202E-03,A10=3.74322E-03,
A12=-7.71054E-04,A14=6.21407E-05
第16面
K=0,A4=-1.61824E-03,A6=2.99130E-04,A8=-9.72271E-06,A10=2.83923E-07
第17面
K=0,A4=2.29861E-03,A6=-9.43913E-06,A8=1.21160E-05,A10=-8.92154E-08
変倍時の各種データを以下に示す。
ズーム比             2.75
広角          中間          望遠
焦点距離             4.04          6.60         11.11
Ｆナンバー           3.17          4.26          5.60
半画角              38.1          24.2          14.7
像高                 3.01          3.01          3.01
レンズ全長          28.31         28.29         28.29
バックフォーカス     1.76          1.74          1.74
ｄ１                 6.366         3.474         0.500
ｄ２                 2.400         2.820         4.449
ｄ３                 1.692         4.165         5.509
ズームレンズ群データを以下に示す。
群    始面      焦点距離
１     １        -5.69
２     ９         5.40
３     14        -5.27
４     16         7.20
プラスチックレンズの温度変化によるピント移動量を以下に示す。
【００７７】
広角          中間          望遠
ｆ                   4.04          6.60         11.11
ピント移動量        -0.021        -0.043        -0.059
なお、前述の各条件式に対応する値は下記の通りである。
ｆＢｗ／ｆｗ＝0.44
｛（１−ｎ１ａ）／ｒ１ａ｝／｛（ｎ１ｂ−１）／ｒ１ｂ｝＝3.05
｜ｆ１／ｆＷ｜＝1.41
｜ｆ１ａ／ｆＷ｜＝1.96
ｎ１ａ＝1.88300
ν１ａ＝40.8
β２Ｔ／β２Ｗ＝2.05
｜ｆ３／ｆＷ｜＝1.31
ｎ３＝1.53048
ν３＝55.7
β３４Ｗ＝1.51
β３４Ｔ＝2.02
ｆＴ／ｆ４＝1.54
また、図１１は広角端におけるレンズ構成図、図１２は広角端における収差図、図１３は中間焦点距離における収差図、図１４は望遠端における収差図である。
（実施例４）
面データを以下に示す。
面番号        Ｒ(mm)      ｄ(mm)       ｎｄ      νｄ
１        -380.969       0.40      1.88300    40.8
２           9.018       1.18
３            ∞         5.65      1.84666    23.8
４            ∞         0.53
５         -16.698       0.40      1.72916    54.7
６          13.694       0.88      1.92286    20.9
７         196.257     d1(可変) 
８(絞り)      ∞         0.00
９(＊)       4.193       1.57      1.69350    53.2
10(＊)     -14.344       0.20
11           9.119       0.48      1.90366    31.3
12           2.837       1.92      1.49700    81.4
13(＊)     -21.481     d2(可変) 
14(＊)     -27.850       0.51      1.53048    55.7
15(＊)       3.230     d3(可変) 
16(＊)      72.732       2.07      1.53048    55.7
17(＊)      -4.674       1.95
18            ∞         0.50      1.51633    64.2
19            ∞
但し、第７レンズ及び第８レンズはプラスチックレンズである。
【００７８】
非球面係数を以下に示す。
第９面
K=0,A4=-7.17062E-04,A6=4.51153E-05,A8=-7.07007E-05,A10=2.13004E-05,
A12=-2.11808E-06
第10面
K=0,A4=2.93226E-03,A6=-3.01922E-04,A8=3.13229E-05,A10=4.78398E-06,
A12=-1.02733E-06
第13面
K=0,A4=-2.01162E-03,A6=7.27012E-04,A8=-3.21729E-05,A10=-5.04273E-05,
A12=1.13690E-05
第14面
K=0,A4=5.61977E-03,A6=-4.25781E-04,A8=-1.17007E-03,A10=2.57819E-04,
A12=3.94377E-15,A14=-1.51036E-16
第15面=
K=0,A4=8.95191E-03,A6=-1.06450E-03,A8=-1.13019E-03,A10=2.49249E-04,
A12=1.11940E-15,A14=-4.33861E-16
第16面
K=0,A4=6.29678E-04,A6=-3.05318E-04,A8=1.12945E-04,A10=-1.31524E-05,
A12=7.37872E-07,A14=-1.43522E-08
第17面
K=0,A4=2.82752E-03,A6=-3.01829E-04,A8=4.56955E-05,A10=1.83613E-06,
A12=-5.56124E-07,A14=2.77680E-08
変倍時の各種データを以下に示す。
ズーム比             2.75
広角          中間          望遠
焦点距離             4.38          7.18         12.05
Ｆナンバー           3.18          4.26          5.59
半画角              35.9          22.3          13.6
像高                 3.01          3.01          3.01
レンズ全長          28.31         28.27         28.27
バックフォーカス     2.84          2.80          2.80
ｄ１                 6.674         3.545         0.500
ｄ２                 1.400         1.784         3.140
ｄ３                 1.614         4.359         6.048
ズームレンズ群データを以下に示す。
群    始面      焦点距離
１     １        -6.63
２     ９         5.19
３     14        -5.42
４     16         8.36
プラスチックレンズの温度変化によるピント移動量を以下に示す。
【００７９】
広角          中間          望遠
ｆ                   4.38          7.18         12.05
ピント移動量        -0.024        -0.048        -0.067
なお、前述の各条件式に対応する値は下記の通りである。
ｆＢｗ／ｆｗ＝0.65
｛（１−ｎ１ａ）／ｒ１ａ｝／｛（ｎ１ｂ−１）／ｒ１ｂ｝＝2.24
｜ｆ１／ｆＷ｜＝1.51
｜ｆ１ａ／ｆＷ｜＝2.28
ｎ１ａ＝1.88300
ν１ａ＝40.8
β２Ｔ／β２Ｗ＝2.04
｜ｆ３／ｆＷ｜＝1.24
ｎ３＝1.53048
ν３＝55.7
β３４Ｗ＝1.54
β３４Ｔ＝2.08
ｆＴ／ｆ４＝1.44
また、図１５は広角端におけるレンズ構成図、図１６は広角端における収差図、図１７は中間焦点距離における収差図、図１８は望遠端における収差図である。
（実施例５）
面データを以下に示す。
面番号        Ｒ(mm)      ｄ(mm)       ｎｄ      νｄ
１          27.108       0.40      1.88300    40.8
２           6.388       1.58
３            ∞         5.45      1.84666    23.8
４            ∞         0.88
５          -6.991       0.40      1.62299    58.1
６          25.570       0.83      1.92286    20.9
７         -36.387     d1(可変)
８(絞り)      ∞         0.00
９(＊)       4.112       1.52      1.69350    53.2
10(＊)     -17.792       0.20
11           8.972       0.48      1.90366    31.3
12           2.804       1.96      1.49700    81.4
13(＊)     -16.652     d2(可変)
14(＊)      33.462       0.56      1.6935     53.2
15(＊)       3.019     d3(可変)
16(＊)      16.311       2.37      1.53048    55.7
17(＊)      -4.618       0.94
18            ∞         0.50      1.51633    64.2
19            ∞
但し、第８レンズはプラスチックレンズである。
【００８０】
非球面係数を以下に示す。
第９面
K=0,A4=-1.59787E-03,A6=-1.09597E-04,A8=-9.94219E-05,A10=2.32771E-05,
A12=-3.27389E-06
第10面
K=0,A4=8.78042E-04,A6=-6.45100E-04,A8=9.18820E-05,A10=-1.76528E-05,
A12=3.09881E-07
第13面
K=0,A4=1.68440E-03,A6=5.18259E-04,A8=1.06237E-04,A10=-6.59420E-05,
A12=1.13690E-05
第14面
K=0,A4=-1.01801E-02,A6=5.26179E-03,A8=-2.26663E-03,A10=3.42940E-04,
A12=2.11941E-15,A14=-2.94766E-16
第15面
K=0,A4=-1.16750E-02,A6=5.40850E-03,A8=-2.38282E-03,A10=3.39880E-04,
A12=6.15781E-16,A14=-4.07090E-16
第16面
K=0,A4=-1.51238E-03,A6=3.08361E-04,A8=-1.00670E-05,A10=-5.06895E-07,
A12=8.65189E-08,A14=-1.35991E-09
第17面
K=0,A4=2.23367E-03,A6=-1.79180E-04,A8=3.64775E-05,A10=-3.40206E-07,
A12=-2.22887E-07,A14=1.46167E-08
変倍時の各種データを以下に示す。
ズーム比             2.75
広角          中間          望遠
焦点距離             4.25          7.00         11.69
Ｆナンバー           3.31          4.48          5.87
半画角               36.7         23.0          14.0
像高                 3.01          3.01          3.01
レンズ全長          28.32         28.29         28.27
バックフォーカス     1.81          1.78          1.76
ｄ１                 6.069         3.267         0.500
ｄ２                 2.218         2.802         4.676
ｄ３                 1.594         3.813         4.705
ズームレンズ群データを以下に示す。
群    始面      焦点距離
１     １        -5.52
２     ９         5.23
３     14        -4.82
４     16         7.06
プラスチックレンズの温度変化によるピント移動量を以下に示す。
【００８１】
広角          中間          望遠
ｆ                   4.25          7.00         11.69
ピント移動量         0.002         0.002         0.002
なお、前述の各条件式に対応する値は下記の通りである。
ｆＢｗ／ｆｗ＝0.42
｛（１−ｎ１ａ）／ｒ１ａ｝／｛（ｎ１ｂ−１）／ｒ１ｂ｝＝1.55
｜ｆ１／ｆＷ｜＝1.30
｜ｆ１ａ／ｆＷ｜＝2.25
ｎ１ａ＝1.88300
ν１ａ＝40.8
β２Ｔ／β２Ｗ＝2.13
｜ｆ３／ｆＷ｜＝1.13
ｎ３＝1.69350
ν３＝53.2
β３４Ｗ＝1.55
β３４Ｔ＝2.00
ｆＴ／ｆ４＝1.66
また、図１９は広角端におけるレンズ構成図、図２０は広角端における収差図、図２１は中間焦点距離における収差図、図２２は望遠端における収差図である。
【符号の説明】
【００８２】
Ｌ１  第１レンズ群
Ｌ２  第２レンズ群
Ｌ３  第３レンズ群
Ｌ４  第４レンズ群
Ｓ  開口絞り
Ｆｉ  ローパスフィルタとカバーガラス
Ｐ  結像面
【図１】
2011069962.tif 000004
【図２】
2011069962.tif 000005
【図３】
2011069962.tif 000006
【図４】
2011069962.tif 000007
【図５】
2011069962.tif 000008
【図６】
2011069962.tif 000009
【図７】
2011069962.tif 000010
【図８】
2011069962.tif 000011
【図９】
2011069962.tif 000012
【図１０】
2011069962.tif 000013
【図１１】
2011069962.tif 000014
【図１２】
2011069962.tif 000015
【図１３】
2011069962.tif 000016
【図１４】
2011069962.tif 000017
【図１５】
2011069962.tif 000018
【図１６】
2011069962.tif 000019
【図１７】
2011069962.tif 000020
【図１８】
2011069962.tif 000021
【図１９】
2011069962.tif 000022
【図２０】
2011069962.tif 000023
【図２１】
2011069962.tif 000024
【図２２】
2011069962.tif 000025